(57)【特許請求の範囲】
【請求項１】
少なくとも１個の発光ダイオードを配する発光部を複数個備え、
前記複数個の発光部は、発光色及び順方向電圧がそれぞれ異なり、
順方向電圧が最大の発光部以外の発光部には、前記発光ダイオードと直列に接続されたスイッチング素子が設けられ、
順方向電圧が最小の発光部以外の発光部には、負極側に前記発光ダイオードと直列に接続された抵抗を有する素子が設けられ、
前記スイッチング素子は、第１端子、第２端子及び第３端子を備え、第３端子に所定の電圧を印加することで、第１端子と第２端子とが導通状態になり、その後、第３端子の電圧が一定範囲内にあるときに導通状態を保持する素子であり、
前記抵抗を有する素子の正極側の端子は、前記抵抗を有する素子が設けられている発光部よりも順方向電圧が小さい発光部のうちで、最も順方向電圧が大きい発光部に設けられたスイッチング素子の第３端子と電気的に接続されており、
前記抵抗を有する素子のうち、少なくとも１つは、温度上昇に伴って抵抗値が小さくなる特性を有している発光装置。
【請求項２】
前記スイッチング素子の少なくとも１つがサイリスタを含む請求項１に記載の発光装置。
【請求項３】
前記スイッチング素子の少なくとも１つが、ＰＮＰ接合のバイポーラトランジスタと、ＮＰＮ接合のバイポーラトランジスタを含み、
ＰＮＰ接合のバイポーラトンジスタのベース及びコレクタとＮＰＮ接合のバイポーラトランジスタのコレクタ及びベースをそれぞれ接続し、
ＰＮＰ接合のバイポーラトランジスタのエミッタ端子が前記第１端子であり、前記ＮＰＮ接合のバイポーラトランジスタのエミッタ端子が前記第２端子であり、ＮＰＮ接合のバイポーラトランジスタのベース端子が前記第３端子である請求項１又は請求項２に記載の発光装置。
【請求項４】
前記複数個の発光部の少なくとも１つは、複数個の発光ダイオードを直列に接続した発光ダイオード群を備え、
順方向電圧が大きい発光部に比べて順方向電圧が小さい発光部は、前記発光ダイオード群の直列に接続された発光ダイオードの個数が少ない請求項１から請求項３のいずれかに記載の発光装置。
【請求項５】
前記複数個の発光部の少なくとも１つは、前記発光ダイオード群を複数個備え、
複数個の前記発光ダイオード群が並列に接続されている請求項４に記載の発光装置。
【請求項６】
前記複数個の発光ダイオード群を備えた発光部は、少なくとも１つの発光ダイオード群を含むように分割して配置され、
前記分割された発光部の間には、異なる発光部の少なくとも１個の発光ダイオード群が配置される請求項５に記載の発光装置。
【請求項７】
前記複数個の発光部はそれぞれ同数の発光ダイオードを直列に接続した発光ダイオード群を備え、
前記発光ダイオード群の少なくとも１つは、発光ダイオードと直列に接続された１個又は複数個のダイオードを備え、
順方向電圧が大きい発光部は、順方向電圧が小さい発光部に比べて、前記ダイオードの接続数が多い請求項１から請求項３のいずれかに記載の発光装置。
【請求項８】
前記複数の発光部、前記スイッチング素子及び前記抵抗を有する素子が実装される基板と、
前記複数の発光部の正極側及び負極側のそれぞれと接続されたランド部と、を備えた請求項１から請求項７のいずれかに記載の発光装置。
【請求項９】
請求項１から請求項８のいずれかに記載の発光装置と、
前記発光装置に電流を供給する電源とを備えている照明装置。
【発明の詳細な説明】
【技術分野】
【０００１】
本発明は、発光ダイオード（ＬＥＤ）等の発光素子を含む発光装置及び発光装置を用いた照明装置に関する。
【背景技術】
【０００２】
近年、低消費電力、長寿命のＬＥＤ（Light  Emitted  Diode：発光ダイオード）が注目されており、従来の白熱電球を光源とする照明装置に替えて、ＬＥＤを光源とする照明装置が用いられることが多くなっている。ＬＥＤを光源とする照明装置において、光束を変更する調光及び発光色を変更する調色が可能な照明装置が提案されている（例えば、特許文献１〜４等参照）。【０００３】
特許文献１の照明装置では発光色の異なる複数の光源（白色光、電球色光）に対して、電源部から電流を供給している。電源部は、昇圧チョッパ回路の出力端に２個の降圧チョッパ回路が並列に接続されており、各降圧チョッパ回路には、白色光のＬＥＤユニットと、電球色光のＬＥＤユニットがそれぞれ接続されている。そして、白色光のＬＥＤユニットと、電球色光のＬＥＤユニットとのそれぞれに独立して電流を供給することで、調光及び調色を行っている。【０００４】
特許文献２の発光装置では、発光色が異なり、互いに並列に接続された第１のＬＥＤと、第２のＬＥＤを備えており、第１のＬＥＤと直列に接続された抵抗を設けている。そして、電源電圧を変化させたときの第１のＬＥＤの順方向電流と、第２のＬＥＤの順方向電流の変化特性が異なることを利用し、電圧を変更することで、全光束における、第１のＬＥＤから出射された光束と、第２のＬＥＤから出射された光束との割合を変化させ、調光と調色とを同時に行っている。【０００５】
特許文献３の照明装置では、発光色の異なる第１発光部と、第２発光部とを備えており、第２発光部へ電流が流れる第２電流経路上に、第２発光部と直列に配されたスイッチング素子を備えている。そして、選択制御回路からの信号によって、スイッチング素子のＯＮ／ＯＦＦを切り替えることで、第１発光部又は第２発光部のいずれに電流を流すか選択している。これにより、調色を行っている。【０００６】
特許文献４のＬＥＤ照明装置では、複数個のＬＥＤが順方向に直接接続された複数のＬＥＤ群を備えている。複数のＬＥＤ群は、複数個のＬＥＤの順方向電圧の合計である合計順方向電圧がそれぞれ異なっており、合計順方向電圧が最大のＬＥＤ群以外のＬＥＤ群には、直列に接続されたスイッチング素子が、複数個のＬＥＤと直列に接続されている。そして、制御部からの制御信号で、スイッチング素子をＯＮ／ＯＦＦすることで、複数個のＬＥＤ群のいずれかに択一的に電流を流す構成となっている。これにより、調光／調色を行っている。
【先行技術文献】
【特許文献】
【０００７】
【特許文献１】特許第５７７５９９６号
【特許文献２】特開２０１１−２２２７２３号公報
【特許文献３】特開２０１５−５６３７９号公報
【特許文献４】特開２０１５−１２２２０２号公報
【発明の概要】
【発明が解決しようとする課題】
【０００８】
しかしながら、特許文献２に記載の発光装置の場合、電圧の変化によって第１の発光ダイオードの光束と第２の発光ダイオードの光束の全光束に占める割合が変化するものであり、光束の変化によって色温度も同時に変化する、すなわち、色温度ごとに調光を行うことができない。【０００９】
特許文献２に記載の照明装置では、白色光のＬＥＤユニット及び電球色光のＬＥＤユニットの光束を個別に調整可能であり、調色と調光が可能な構成である。しかしながら、各ＬＥＤユニットに対して、降圧チョッパ回路が必要であり、回路構成が複雑でコストが高くなる。また、小型化も困難である。【００１０】
特許文献３、特許文献４に記載の照明装置では、各光源部に対して電流を供給するために、スイッチング素子を配して、スイッチング素子のＯＮ／ＯＦＦで各光源部の光束を調整し、調光を行っているが、スイッチング素子に制御信号を出力するための制御部が必要であり、電源部の回路構成が複雑でコストが高くなる。また、小型化も困難である。【００１１】
そこで、本発明は、発光ダイオードを光源とし、簡単な構成を有して小型であるとともに、発光色が切り替え可能且つ、発光色毎に調光可能な照明装置を提供することを目的とする。
【課題を解決するための手段】
【００１２】
上記目的を達成するために本発明の発光装置は、少なくとも１個の発光ダイオードを配する発光部を複数個備え、前記複数個の発光部は、発光色及び順方向電圧がそれぞれ異なり、順方向電圧が最大の発光部以外の発光部には、前記発光ダイオードと直列に接続されたスイッチング素子が設けられ、順方向電圧が最小の発光部以外の発光部には、負極側に前記発光ダイオードと直列に接続された抵抗を有する素子が設けられ、前記スイッチング素子は、第１端子、第２端子及び第３端子を備え、第３端子に所定の電圧を印加することで、第１端子と第２端子とが導通状態になり、その後、第３端子の電圧が一定範囲内にあるときに導通状態を保持する素子であり、前記抵抗を有する素子の正極側の端子は、前記抵抗を有する素子が設けられている発光部よりも順方向電圧が小さい発光部のうちで、最も順方向電圧が大きい発光部に設けられたスイッチング素子の第３端子と電気的に接続されていることを特徴とする。【００１３】
このような構成によると、供給する電流が変化することで、スイッチング素子をＯＮにして、発光部の発光を切り替えているとともに、スイッチング素子がＯＮにならない範囲で電流を変動させることで、光束を調整、すなわち、調光している。そして、スイッチング素子はＯＮになったのちは、電流の供給が停止しない限りＯＦＦにはならないため、供給する電流値を適宜調整することで、発光する発光色を任意に変更可能であるとともに、発光色毎に調光が可能である。これにより、発光の切り替え、調光のための制御回路が不要であり、発光装置を簡単な構成とすることが可能である。そして、簡単な構成とすることで、小型化及び軽量化が可能であるとともに、コストを低減することができる。【００１４】
前記スイッチング素子の少なくとも１つがサイリスタを含む構成であっても構わない。このように構成することで、スイッチング素子を１つの素子にできるので、設置面積を小さくすることが可能であるし、配線の自由度を上げることが可能である。【００１５】
上記構成において、前記スイッチング素子の少なくとも１つが、ＰＮＰ接合のバイポーラトランジスタと、ＮＰＮ接合のバイポーラトランジスタを含み、ＰＮＰ接合のバイポーラトンジスタのベース及びコレクタとＮＰＮ接合のバイポーラトランジスタのコレクタ及びベースをそれぞれ接続し、ＰＮＰ接合のバイポーラトランジスタのエミッタ端子が前記第１端子であり、前記ＮＰＮ接合のバイポーラトランジスタのエミッタ端子が前記第２端子であり、ＮＰＮ接合のバイポーラトランジスタのベース端子が前記第３端子であっても構わない。【００１６】
上記構成において、前記複数個の発光部の少なくとも１つは、複数個の発光ダイオードを直列に接続した発光ダイオード群を備え、順方向電圧が大きい発光部に比べて順方向電圧が小さい発光部は、前記発光ダイオード群の直列に接続された発光ダイオードの個数が少なくてもよい。発光ダイオードの個数で順方向電圧を調整できるので、順方向電圧を調整するための素子が不要である。【００１７】
上記構成において、前記複数個の発光部の少なくとも１つは、前記発光ダイオード群を複数個備え、複数個の前記発光ダイオード群が並列に接続されていてもよい。発光ダイオード群の直列に接続される発光ダイオードの数と並列に接続される発光ダイオード群の数を調整することで、各発光部の発光ダイオード数を同数とするとともに、順方向電圧を調整可能である。【００１８】
上記構成において、前記複数個の発光ダイオード群を備えた発光部は、少なくとも１つの発光ダイオード群を含むように分割して配置され、前記分割された発光部の間には、異なる発光部の少なくとも１個の発光ダイオード群が配置されてもよい。このように、発光部が１個又は複数個の発光ダイオード群ごとに分割して配置され、分割された発光部の間に別の発光部の発光ダイオード群が配置されることで、発光部の発光ダイオードの配置の偏りを抑制できる。なお、発光部を１個の発光ダイオード群ごとに分割し、その間に異なる発光部の発光ダイオード群を配置してもよいし、複数個の発光ダイオード群を含むように分割して、その間に異なる発光部の１個又は複数個の発光ダイオード群を配置してもよい。【００１９】
上記構成において、前記複数個の発光部はそれぞれ同数の発光ダイオードを直列に接続した発光ダイオード群を備え、前記発光ダイオード群の少なくとも１つは、発光ダイオードと直列に接続された１個又は複数個のダイオードを備え、順方向電圧が大きい発光部は、順方向電圧が小さい発光部に比べて、前記ダイオードの接続数が多い。このようにすることで、各発光部の発光ダイオードの数を同じにすることで、光束量を同じ又は略同じで、順方向電圧を変えることができるので、発光色の切り替え及び各発光色での調光を簡単な構成で可能となる。【００２０】
上記構成において、前記抵抗を有する素子のうち、少なくとも１つは、温度上昇に伴って抵抗値が小さくなる特性を有していてもよい。このように構成することで、スイッチング素子がＯＮになる電圧値が温度上昇によって、小さくなった場合に、電流による電圧値の変化も同じく小さくすることができる。これにより、温度が変化してもスイッチング素子がＯＮになる電流値の変動を抑えることができ、各発光色での調光の幅を同じ又はほぼ同じとすることが可能である。【００２１】
上記構成において、前記複数の発光部、前記スイッチング素子及び前記抵抗を有する素子が実装される基板と、前記複数の発光部の正極側及び負極側のそれぞれと接続されたランド部と、を備えていてもよい。このように、１つの基板にまとめて構成することで、小型化が可能である。
【発明の効果】
【００２２】
本発明によると、発光ダイオードを光源とし、簡単な構成を有して小型であるとともに、発光色が切り替え可能且つ、発光色毎に調光可能な照明装置を提供することができる。
【図面の簡単な説明】
【００２３】
【図１】本発明にかかる照明装置の一例を示す図である。
【図２】図１に示す照明装置の回路図においてＯＦＦの状態のサイリスタをスイッチに置き換えた図である。
【図３】図２に示す照明装置の回路図においてＯＮの状態のサイリスタをスイッチに置き換えた図である。
【図４】本発明にかかる発光装置の概略構成を示す図である。
【図５】サイリスタの温度特性を示す図である。
【図６】サイリスタの替わりに用いるスイッチング素子を示す図である。
【図７】本発明にかかる照明装置の他の例を示す図である。
【図８】本発明にかかる照明装置のさらに他の例を示す図である。
【図９】本発明にかかる発光装置の概略構成を示す図である。
【図１０】本発明にかかる発光装置の概略構成を示す図である。
【図１１】本発明にかかる発光装置の概略構成を示す図である。
【図１２】本発明にかかる照明装置のさらに他の例を示す図である。
【発明を実施するための形態】
【００２４】
以下に本発明の実施形態について図面を参照して説明する。
【００２５】
（第１実施形態）
図１は、本発明にかかる照明装置の一例を示す図である。図１に示すように、照明装置Ａは、電流源Ｐｉと、発光装置Ｏｐとを備えている。発光装置Ｏｐは、第１発光部１と、第２発光部２とを備えており、第１発光部１と、第２発光部２とは、電流源Ｐｉに並列に接続されている。
【００２６】
電流源Ｐｉは、接続された回路に対して、直流電流を供給できる電源である。電流源Ｐｉは、流す電流値を変更可能であるとともに、任意の電流値の電流を供給し続けることも可能な構成である。電流源Ｐｉは、一般の電源と同様に、接続された回路に対して電圧を印加することができる構成を有している。電流源Ｐｉは、正極Ｐｉ１と、負極Ｐｉ２とを備えている。本発明かかる照明装置Ａにおいて、負極Ｐｉ２は、電流源Ｐｉ内部で接地されているものとする。
【００２７】
第１発光部１は、複数個（ここでは５個）の発光ダイオード１１（以下、ＬＥＤ１１とする）と、抵抗１２とを含む。なお、ＬＥＤ１１の個数は、５個に限定されるものではない。例えば、ＬＥＤ１１の個数は、発光装置Ｏｐに要求される光束量（明るさ）によっても決定され、直列に接続可能な個数は、電流源Ｐｉから印加される電圧によって上限が決まる。また、第１発光部１に含まれる抵抗１２としては、抵抗器（抵抗素子）を挙げることができるが、抵抗器に限定されない。電気的な抵抗を有する素子（例えば、FET、ツェナーダイオード等）を用いてもよい。以下の説明において、単に「抵抗」と示す場合、抵抗器に限定されず、「（電気的な）抵抗を有する素子」を含むものとする。第１発光部１は、５個のＬＥＤ１１が順方向直列に接続されている。順方向直列に接続された５個のＬＥＤ１１を１まとまりとして認識し、このひとまとまりを第１ＬＥＤ群１０とする。なお、以下の説明において、第１発光部１が１個のＬＥＤ１１と抵抗１２とを有する構成の場合、第１ＬＥＤ群１０をＬＥＤ１１と読み替えるものとする。
【００２８】
第１ＬＥＤ群１０はＬＥＤ１１を順方向直列に接続したものであるため、極性を有する、すなわち、正極（アノード）側端子１０１と、負極（カソード）側端子１０２とを有する。正極側端子１０１は、電流源Ｐｉの正極Ｐｉ１と接続された第１接続端子３１に接続されている。また、負極側端子１０２は、抵抗１２を介して電流源Ｐｉの負極Ｐｉ２に接続された第２接続端子３２に接続されている。
【００２９】
ＬＥＤ１１の順方向電圧をＶｆ１１〜Ｖｆ１５とすると、第１ＬＥＤ群１０は５個のＬＥＤ１１が順方向に直列接続されているので、すべてのＬＥＤ１１の順方向電圧の合計である第１ＬＥＤ群１０の合計順方向電圧ＳＶｆ１は、次の式で求められる。
ＳＶｆ１＝Ｖｆ１１＋Ｖｆ１２＋Ｖｆ１３＋Ｖｆ１４＋Ｖｆ１５
なお、ＬＥＤ１１の順方向電圧がすべて等しい（Ｖｆ１）場合には、
ＳＶｆ１＝５×Ｖｆ１
である。
【００３０】
抵抗１２は、第１ＬＥＤ群１０の負極側端子１０２と第２接続端子３２との間に配されている。すなわち、第１ＬＥＤ群１０を流れた電流は、抵抗１２を通って第２接続端子３２に流れる。
【００３１】
第２発光部２は、複数個（ここでは、５個）の発光ダイオード２１（以下、ＬＥＤ１２とする）と、スイッチング素子であるサイリスタ２２とを含む。なお、ＬＥＤ２１の個数は、５個に限定されるものではない。例えば、ＬＥＤ２１の個数は、発光装置Ｏｐに要求される光束量（明るさ）によっても決定され、直列に接続可能な個数は、電流源Ｐｉから印加される電圧によって上限が決まる。第２発光部２は、５個のＬＥＤ２１が順方向直列に接続されている。順方向直列に接続された５個のＬＥＤ２１を１まとまりとして認識し、このひとまとまりを第２ＬＥＤ群２０とする。なお、以下の説明において、第２発光部２が１個のＬＥＤ２１とサイリスタ２２とを有する構成の場合、第２ＬＥＤ群２０をＬＥＤ２１と読み替えるものとする。
【００３２】
第２ＬＥＤ群２０はＬＥＤ２１を順方向直列に接続したものであるため、極性を有する、すなわち、正極（アノード）側端子２０１と、負極（カソード）側端子２０２とを有する。正極側端子２０１は、電流源Ｐｉの正極Ｐｉ１と接続された第１接続端子３１に接続される。また、負極側端子２０２は、サイリスタ２２を介して電流源Ｐｉの負極Ｐｉ２と接続された第２接続端子３２に接続される。
【００３３】
ＬＥＤ２１の順方向電圧をＶｆ２１〜Ｖｆ２５とすると、第２ＬＥＤ群２０は５個のＬＥＤ２１が順方向に直列接続されているので、すべてのＬＥＤ２１の順方向電圧の合計である第２ＬＥＤ群２０の合計順方向電圧ＳＶｆ２は、次の式で求められる。
ＳＶｆ２＝Ｖｆ２１＋Ｖｆ２２＋Ｖｆ２３＋Ｖｆ２４＋Ｖｆ２５
なお、ＬＥＤ２１の順方向電圧がすべて等しい（Ｖｆ２）場合には、
ＳＶｆ２＝５×Ｖｆ２
である。
【００３４】
本発明の発光装置Ｏｐは、第１発光部１と第２発光部２とを切り替えて発光させることで、発光色を切り替え且つ切り替えた発光色の光束の調整、すなわち、調光を行う。そのため、第１発光部１に用いられるＬＥＤ１１と第２発光部２に用いられるＬＥＤ２１とは、異なる発光色のＬＥＤである。例えば、ＬＥＤ１１は第１発光色（例えば、昼白色：色温度、約５０００Ｋ）の光を出射し、ＬＥＤ２１は第２発光色（例えば、電球色：色温度、約３０００Ｋ）の光を出射することとする。なお、第１発光色及び第２発光色は、一例であり、これに限定されるものではない。また、本実施形態では、第１ＬＥＤ群１０及び第２ＬＥＤ群２０は、それぞれ、同じ色温度の光を出射するＬＥＤを順方向直列に接続したものとしているが、これに限定されない。例えば、複数種類の色温度のＬＥＤを組みあわせて、異なる色温度の光を出射するＬＥＤ群を構成するようにしてもよい。
【００３５】
サイリスタ２２は、特許請求の範囲における「スイッチング素子」に相当する。サイリスタ２１は、アノード２２１、カソード２２２及びゲート２２３を有している。アノード２２１が特許請求の範囲における「第１端子」に相当し、カソードが「第２端子」に相当し、ゲート２２３が「第３端子」に相当する。
【００３６】
図１に示すように、サイリスタ２２のアノード２２１が、第２ＬＥＤ群２０の負極側端子２０２と接続されており、サイリスタ２２のカソード２２２が、電流源Ｐｉの負極Ｐｉ２と接続された第２接続端子３２と接続されている。また、サイリスタ２２のゲート２２３は、第１発光部１の第１ＬＥＤ群１０の負極側端子１０２及び抵抗１２と接続している。換言すると、ゲート２２３は、抵抗１２を介して電流源Ｐｉの負極Ｐｉ２と接続された第２接続端子３２と接続されている。
【００３７】
サイリスタ２２は、アノード２２１とカソード２２２との間に順方向電圧が印加されている状態で、ゲート２２３（ゲート−カソードの間）に所定の電圧以上の電圧（トリガー電圧と称する）を印加することで、アノードからカソードに電流が流れる。すなわち、サイリスタ２２は、非導通状態から導通状態になる、この状態の変化を、ＯＮになると称する。そして、ＯＮになったサイリスタ２２は、ゲート２２３の電圧が小さくなってもＯＮ状態が継続し、電流は流れ続ける。
【００３８】
すなわち、サイリスタ２２は、ゲート２２３にトリガー電圧が印加されるとＯＮになるスイッチング素子であり、ＯＮになった後は、ゲート２２３の電圧にかかわらず、順方向電流を保持する。そして、サイリスタ２２は、アノード２１１とカソード２２２間が導通を保持する電圧以下になるか、順方向電流が「０」になることで、非導通状態に戻る。この状態の変化をＯＦＦになると称する。
【００３９】
図１に示すように、説明を容易にするため、基準点Ｓ０、第１接点Ｓ１及び第２接点Ｓ２を設定する。基準点Ｓ０は基準電圧、本発明では、接地点であり、第２接続端子３２と接続される配線上に設けられている。サイリスタ２２のカソード２２２は、基準点Ｓ０に接続されている。サイリスタ２２のゲート２２３と第１ＬＥＤ群１０の負極側端子１０２が接続される点を第１接点Ｓ１としている。第１接点Ｓ１は、抵抗１２を介して基準点Ｓ０に接続される。
【００４０】
例えば、抵抗１２に電流が流れる場合、第１接点Ｓ１は、抵抗１２の抵抗値と流れる電流値との積の分だけ、基準点Ｓ０よりも高電圧となる。そして、サイリスタ２２のカソード２２２が基準点Ｓ０に接続され、ゲート２２３が第１接点Ｓ１に接続されているため、抵抗１２に電流が流れると、ゲート２２３とカソード２２２の間に電圧が発生する。なお、本実施形態では、基準点Ｓ０を接地点としており、カソード２２２の電圧は「０」であるため、ゲート２２３とカソード２２２の間の電圧を単にゲート電圧と称する場合がある。また、第１ＬＥＤ群１０の正極側端子１０１と第２第２ＬＥＤ群２０の正極側端子２０１を第２接続点Ｓ２とし、第２接点Ｓ２は第１接続端子３１と接続している。
【００４１】
発光装置Ｏｐでは、サイリスタ２２の上述のような特徴を利用している。発光装置Ｏｐの詳細について、説明する。図２は、図１に示す照明装置の回路図においてＯＦＦの状態のサイリスタをスイッチに置き換えた図である。図３は、図２に示す照明装置の回路図においてＯＮの状態のサイリスタをスイッチに置き換えた図である。なお、図２、図３では、電流の流れを矢印で示す。
【００４２】
まず、電流源Ｐｉから給電されていない状態では（図１の状態）、第１発光部１及び第２発光部２の両方に電流が流れておらず、発光していない。図２に示すように、サイリスタ２２はＯＦＦになっている。この状態で、電流源Ｐｉの正極Ｐｉ１から第１接続端子３１に給電を開始すると、供給される電流はすべて、第１発光部１の第１ＬＥＤ群１０に流れる。なお、電流源Ｐｉから電流を供給する場合において、第２接点Ｓ２には、合計順方向電圧ＳＶｆ１以上の電圧で、上限値未満の電圧が印加されているものとする。
【００４３】
電流源Ｐｉから供給される電流の電流値を電流値Ｉａ、第１発光部１の第１ＬＥＤ群１０に流れる電流値を電流値ＩＬ１とすると、Ｉａ＝ＩＬ１となる。そして、抵抗１２の抵抗値ＲＬとすると、第１ＬＥＤ群１０と抵抗１２とは、直流であるため、第１ＬＥＤ群１０に流れた電流は、そのまま抵抗１２に流れる、すなわち、抵抗１２には電流値ＩＬ１の電流が流れる。上述のとおり、電流源Ｐｉの負極Ｐｉ２は接地されており、負極Ｐｉ２と接続された第２接続端子３２と接続されている配線上の点である基準点Ｓ０の電圧は「０」である。そして、抵抗１２には、電流値ＩＬ１の電流が流れているため、第１接点Ｓ１の電圧Ｖｇは、次の式で求められる。
Ｖｇ＝ＩＬ１×ＲＬ
【００４４】
つまり、第１接点Ｓ１の電圧は、第１ＬＥＤ群１０を流れる電流の電流値ＩＬ１（ここでは、電流源Ｐｉから供給される電流の電流値Ｉａと同様）と抵抗１２の抵抗値ＲＬによって決まる。また、図１に示しているように、サイリスタ２２のカソード２２２は、基準点Ｓ０と同電位であり、ゲート２２３は、第１接点Ｓ１と同電位である。すなわち、第１ＬＥＤ群１０に電流値ＩＬ１の電流が流れているときの、サイリスタ２２のゲート電圧は、電圧Ｖｇとなる。
【００４５】
上述したように、サイリスタ２２は、ゲートにトリガー電圧をすることでＯＮになる。サイリスタ２２がＯＦＦからＯＮになる電圧値を電圧値Ｖｇｔとすると、発光装置Ｏｐでは、Ｖｇ＜Ｖｇｔの間、サイリスタ２２がＯＦＦのままであり、第２発光部２の第２ＬＥＤ群２０に電流は流れない。換言すると、第１ＬＥＤ群１０に流れる電流の電流値ＩＬ１が、ＩＬ１＜Ｖｇｔ／ＲＬを満たす場合、第１ＬＥＤ群１０の各ＬＥＤ１１が点灯する。ＬＥＤは、電流値によって発光するときの光の光束量が変化する。そのため、第１ＬＥＤ群１０に流れる電流ＩＬ１を、ＩＬ１＜Ｖｇｔ／ＲＬの範囲で変動させることで、各ＬＥＤ１１から出射される光の光束量を調整する、すなわち、第１発光部１の調光が可能である。
【００４６】
そして、サイリスタ２２がＯＦＦのとき、電流源Ｐｉから供給される電流の電流値Ｉａが、第１発光部１の第１ＬＥＤ群１０に流れる電流の電流値ＩＬ１と同じである。そのため、照明装置Ａでは、動作開始（すなわち、給電停止状態から、供給する電流値Ｉａを、Ｉａ＜Ｖｇｔ／ＲＬの範囲で変動させることで、第１ＬＥＤ群１０の各ＬＥＤ１１から出射される光の光束量を調整、すなわち、調光することが可能である。ＬＥＤ１１は、第１発光色の光を出射するＬＥＤであるため、照明装置Ａは第１発光色の光を調光して出射することができる。
【００４７】
電流源Ｐｉから供給する電流の電流値Ｉａが、Ｉａ＞Ｖｇｔ／ＲＬになると、第１接点Ｓ１の電圧Ｖｇが、Ｖｇｔよりも大きくなり、サイリスタ２２がＯＮになる。サイリスタ２２がＯＮになると、照明装置Ａは、図３に示す回路になる。すなわち、電流源Ｐｉに対して、第１発光部１と第２発光部２とが並列接続になる。このとき、第２発光部２の第２ＬＥＤ群２０を流れる電流の電流値を電流値ＩＬ２とすると、電流源Ｐｉから供給される電流の電流値Ｉａ、第１発光部１の第１ＬＥＤ群１０に流れる電流の電流値ＩＬ１との関係は次のようになる。
Ｉａ＝ＩＬ１＋ＩＬ２
【００４８】
つまり、電流源Ｐｉから供給される電流（電流値Ｉａ）は第２接点Ｓ２で、第１発光部１に流れる電流（電流値ＩＬ１）と、第２発光部２に流れる電流（電流値ＩＬ２）に分かれる。これにより、第１発光部１の第１ＬＥＤ群１０のＬＥＤ１１と、第２発光部２の第２ＬＥＤ群２０のＬＥＤ２１とが発光する。
【００４９】
電流源Ｐｉから供給される電流の電流値Ｉａが、Ｉａ＞Ｖｇｔ／ＲＬになると、第２発光部２に電流が流れるため、第１発光部１の第１ＬＥＤ群１０に流れる電流の電流値ＩＬ１が小さくなる。これにより、第１接点Ｓ１の電圧値Ｖｇ（＝ＲＬ×ＩＬ１）が減少し、サイリスタ２２をＯＮにする電圧Ｖｇｔよりも小さくなる。サイリスタ２２は、一度ＯＮになると、ゲート２２３に印加される電圧が変動しても、アノード−カソード間に電流が流れる。そのため、第１ＬＥＤ群１０、すなわち、抵抗１２に流れる電流ＩＬ１が減少して、第１接点Ｓ１の電圧値Ｖｇが減少しても、サイリスタ２２はＯＮ状態のままであり、第２発光部２の第２ＬＥＤ群２０には電流値ＩＬ２の電流が流れる。
【００５０】
ここで、サイリスタ２２がＯＮになったときの電流値ＩＬ１と電流値ＩＬ２との関係について説明する。図３に示すように、サイリスタ２２がＯＮになると、第１発光部１と第２発光部２とが並列となる。このとき、電流源Ｐｉから供給される電流は、合計順方向電圧が小さい方の第１ＬＥＤ群１０又は第２ＬＥＤ群２０に多くの電流が流れる。例えば、合計順方向電圧がＳＶｆ１＞ＳＶｆ２の関係にある場合、各ＬＥＤ群に流れる電流の電流値は、ＩＬ１＜ＩＬ２となる。
【００５１】
本発明にかかる発光装置Ｏｐでは、第１ＬＥＤ群１０の合計順方向電圧ＳＶｆ１と第２ＬＥＤ群２０の合計順方向電圧ＳＶｆ２とは、ＳＶｆ１＞ＳＶｆ２であって、ＳＶｆ１−ＳＶｆ２＞Ｔｈ１となるように決定している。ここで、Ｔｈ１は閾値であり、予め決められた数値である。このように、第１ＬＥＤ群１０の合計順方向電圧ＳＶｆ１と、第２ＬＥＤ群２０の合計順方向電圧ＳＶｆ２を決定することで、サイリスタ２２がＯＮになったときの、第１発光部１に流れる電流の電流値ＩＬ１と、第２発光部に流れる電流の電流値ＩＬ２とは、ＩＬ１＜＜ＩＬ２となる。なお、閾値Ｔｈ１は、使用するＬＥＤによって決定されるものである。
【００５２】
以上のような構成の発光装置Ｏｐを備えた照明装置Ａにおいて、サイリスタ２２がＯＦＦのとき、電流源Ｐｉから供給される電流は、第１発光部１に流れる。これにより、第１発光部１に備えられ、発光色が第１発光色のＬＥＤ１１が発光する。サイリスタ２２は、第１発光部１に供給される電流によってＯＮに制御される。そこで、照明装置Ａでは、第１発光部１に供給される電流、すなわち、電流源Ｐｉから供給される電流の電流値Ｉａを、サイリスタ２２をＯＮにする電流値（Ｖｇｔ／ＲＬ）未満で変動させることで、第１発光色（昼光色）の光の調光が可能である。
【００５３】
また、サイリスタ２２がＯＮになったとき、電流源Ｐｉから供給される電流のほとんどが、第２発光部２に流れる。これにより、第２発光部２に備えられ、発光色が第２発光色のＬＥＤ２１が発光する。このとき、第１発光部１にも電流が流れているが、その電流値ＩＬ１は、わずかであるため、ＬＥＤ１１の発光による光束量は、微量である。すなわち、サイリスタ２２がＯＮのときには、発光色が第２発光色のＬＥＤ２１を含む第２発光部２が主に発光し、発光色が第１発光光のＬＥＤ１１を含む第１発光部１は発光したとしても、第２発光部２から出射される光の発光色への影響が抑制される。
【００５４】
サイリスタ２２は、一度ＯＮになると、アノードとカソード間が導通を保持する電圧以下になるか電流が遮断されない限りＯＦＦにならない。そのため、サイリスタ２２がＯＮになった後に、電流源Ｐｉから供給される電流の電流値Ｉａを、アノードとカソード間が導通を保持する電圧以下にならない範囲で変動させることで、第２発光色（電球色）の光の調光が可能である。
【００５５】
通常、ＬＥＤは、予め順方向電流値Ｉｆが決められており、発光装置では、ＬＥＤに順方向電流値Ｉｆ以下の電流を流すように、回路が設計されている。ＬＥＤ１１とＬＥＤ２１の順方向電流値が同じＩｆの場合、抵抗１２に順方向電流値Ｉｆの電流が流れたとき、第１接点Ｓ１の電圧がＶｇｔになる抵抗値ＲＬの抵抗１２を用いている場合について説明する。この場合、照明装置Ａにおいて、第１発光部１に順方向電流値Ｉｆの電流が流れると、第１接点Ｓ１の電圧がＶｇｔになり、サイリスタ２２がＯＮになる。
【００５６】
すなわち、第１発光部１の第１ＬＥＤ群１０は合計順方向電圧ＳＶｆ１が第２発光部２の第２ＬＥＤ群２０の合計順方向電圧ＳＶｆ２より大きいため、順方向電流値Ｉｆを通すことが困難になる。そのため、実際の発光装置Ｏｐでは、抵抗１２の抵抗値ＲＬを、順方向電流値Ｉｆが流れたときに、第１接点Ｓ１の電圧がサイリスタ２２をＯＮにする電圧値Ｖｇｔを下回るように設定することが好ましい。すなわち、ＲＬ＜Ｖｇｔ／Ｉｆであることが好ましい。しかしながら、ＬＥＤに順方向電流値Ｉｆを大幅に超える電流を流すと動作不良等の不具合につながる。そのため、抵抗１２は、ＬＥＤ１０にとって安全な範囲で、順方向電流値Ｉｆを超えたときに、第１接点Ｓ１の電圧がＶｇｔになる抵抗値ＲＬを備えていることが好ましい。
【００５７】
そして、サイリスタ２２がＯＮになったとき、電力源Ｐｉから供給される電流の電流値Ｉａは、順方向電流Ｉｆよりも大きい。そのため、出射される光の発光色が、第１発光色から第２発光色に切り替わったときに、第２発光部２は順方向電流Ｉｆに近い電流が流れる。例えば、使用方法によっては、操作開始から最初から第２発光色の光を調光したい要望がある。この場合、使用者が認識できない短期間で、第１接点Ｓ１の電圧値を瞬時にＶｇｔまで上げて、サイリスタ２２をＯＮにし、その後、電流源Ｐｉを調整して調光するようにしてもよい。実際の発光装置Ｏｐでは、第１発光部１から第１発光色の光が出射されているが、短時間であるため、第１発光色の光を使用者は認識できない。そのため、使用者は、照明装置Ａの操作開始から、第２発光色の光が発光されて、調光していると認識される。
【００５８】
本実施形態にかかる発光装置Ｏｐでは、第１発光部１の第１ＬＥＤ群１０のＬＥＤ１１の数と、第２発光部２の第２ＬＥＤ群２０のＬＥＤ２１の数とが同じである。そのため、第１ＬＥＤ群１０の合計順方向電圧ＳＶｆ１と、第２ＬＥＤ群２０の合計順方向電圧ＳＶｆ２とが、閾値Ｔｈ１以上の差になるような、順方向電圧Ｖｆ１のＬＥＤ１１と、順方向電圧Ｖｆ２のＬＥＤ２１とを採用している。
【００５９】
以上示した回路構成を有する発光装置Ｏｐの具体的な例について図面を参照して説明する。図４は、本発明にかかる発光装置の概略構成を示す図である。図４に示すように、発光装置Ｏｐは、基板Ｂｄと、基板Ｂｄの上面に形成されたプリント配線Ｐｈとが設けられている。プリント配線Ｐｈは、第１発光部１の第１ＬＥＤ群１０の５個のＬＥＤ１１を直列に接続するための第１経路Ｐｈ１と、第２発光部２の第２ＬＥＤ群２０の５個のＬＥＤ２１を直列に接続するための第２経路Ｐｈ２とを有している。
【００６０】
第１経路Ｐｈ１及び第２経路Ｐｈ２の正極側の端部は１点で接続されている。そして、プリント配線Ｐｈは、正極側の接続点から基板Ｂｄの端部に延びた第１接続端子３１を備えている。また、第１経路Ｐｈ１及び第２経路Ｐｈ２の負極側の端部は１点で接続されている。そして、プリント配線Ｐｈは、負極側の接続点から基板Ｂｄの端部に延びた第１接続端子３１を備えている。なお、図１等に示すように、第１接続端子３１には、電流源Ｐｉの正極Ｐｉ１が、第２接続端子３２には、電流源Ｐｉの負極Ｐｉ２がそれぞれ接続される。
【００６１】
図４に示すように、第１経路Ｐｈ１及び第２経路Ｐｈ２は、互いの凹部に凸部が入り込むような形状となっている。そして、互いの凸部にＬＥＤ１１及びＬＥＤ２１が実装されている。このように実装することで、ＬＥＤ１１とＬＥＤ２１が等間隔に直線状に並んで配列される。このように配列することで、第１ＬＥＤ群１０のＬＥＤ１１が発光するときに、又は、第２ＬＥＤ群２０のＬＥＤ２１が発光するときに、照明装置Ａから出射される光の光束を均一化することができる。
【００６２】
本発明の照明装置Ａでは、電流源Ｐｉから供給される電流の電流値Ｉａを変動させることで、サイリスタ２２のＯＮ／ＯＦＦを行うことができる。そして、電流源Ｐｉから供給される電流の電流値Ｉａを変動させることで、照明装置Ａから出射される光の発光色を、第１発光色（ここでは、昼白色）と第２発光色（ここでは、電球色）とに切り替えるとともに、それぞれの発光色で調光が可能である。
【００６３】
本発明にかかる照明装置Ａでは、上述のとおり、電流源Ｐｉから供給される電流の電流値を調整することで、サイリスタ２２をＯＦＦ状態又はＯＮ状態にすることができる。そのため、サイリスタを制御する制御信号を生成、出力する制御部が不要である。これにより、部品点数を減らすことができ、製造に要するコストを削減することができる。また、部品点数が少なくなることから、小型化及び軽量化が容易である。
【００６４】
本発明にかかる照明装置Ａでは、サイリスタ２２、スイッチング素子２３を、第２ＬＥＤ群２０の負極側端子２０２と接続する構成としているが、これに限定されず、正極側端子２０１と接続するようにしてもよい。この場合、サイリスタ２２のアノード２２１は、第２接点Ｓ２と接続し、カソード２２２は第２ＬＥＤ群２０の正極側端子２０１と接続される。また、サイリスタ２２のゲート２２３は、第１接点Ｓ１と接続される。このような構成としても、サイリスタ２２がＯＮになると、アノードからカソードに電流が流れるため、第２ＬＥＤ群２０に電流が流れる。また、第２ＬＥＤ群２０の複数個のＬＥＤ２１の間に、サイリスタ２２を取り付けてもよい。
【００６５】
本発明にかかる照明装置Ａに用いられるサイリスタ２２は、半導体素子であり、温度変化によって、ＯＮになる電圧が変化する。図５は、サイリスタの温度特性を示す図である。図５に示すグラフは、縦軸は、サイリスタ２２をＯＮにする電圧値（Ｖ）であり、横軸は、サイリスタ２２の温度である。
【００６６】
上述しているように、第１発光部１に流れる電流ＩＬ１の大きさによって、サイリスタ２２はＯＮになる。すなわち、第１発光部１を流れる電流、ゲート電圧Ｖｇｔ及び抵抗Ｒの間に、ＩＬ１≧Ｖｇｔ／ＲＬの関係が成り立つときに、サイリスタ２２はＯＮになる。一方、図５に示すように、サイリスタ２２をＯＮにするためのゲート電圧の電圧値Ｖｇｔは、サイリスタの温度上昇によって小さくなる。例えば、抵抗１２の抵抗値ＲＬが固定値である場合、電圧値Ｖｇｔが小さくなると、第１発光部１に流れる電流が小さくてもサイリスタ２２がＯＮに切り替わる。照明装置Ａでは、サイリスタ２２の温度が上昇するほど、小さい電流値ＩＬ１でサイリスタ２２がＯＮになり、第１発光色での調光の範囲が狭くなる。
【００６７】
このような、サイリスタ２２の温度によるＯＮになるときのゲート電圧Ｖｔｇの変化に対応するため、第１発光部１の抵抗１２として、抵抗値が温度上昇に伴って小さくなる特徴（負性抵抗）を持つ抵抗を用いるとよい。サイリスタ２２はＯＦＦのときに電流は流れないので、サイリスタ２２の温度上昇の主な原因は、第１ＬＥＤ群１０のＬＥＤ１１の発熱によるものである。ＬＥＤ１１の熱は、抵抗１２にも伝達しており、抵抗１２の温度も上昇する。抵抗１２が、負性抵抗を持つ場合、サイリスタ２２をＯＮにするゲート電圧値Ｖｇｔが小さくなるのとともに、抵抗１２の抵抗値ＲＬも小さくなる。そのため、サイリスタ２２がＯＮになるときの第１発光部１に流れる電流値ＩＬ１の変化を小さくすることができる。これにより、照明装置Ａでは、サイリスタ２２の温度、すなわち、装置内部の温度が変化しても、第１発光色の光の調光の範囲が変化するのを抑制することができる。
【００６８】
なお、負性抵抗を持つ抵抗としては、マンガン（Ｍｎ）、ニッケル（Ｎｉ）、コバルト（Ｃｏ）等の金属の酸化物を焼成したセラミックス、ケイ素（Ｓｉ）、ゲルマニウム（Ｇｅ）、窒化ガリウム（ＧａＮ）、ガリウムヒ素（ＧａＡｓ）、窒化インジウムガリウム（ＩｎＧａＮ）等を用いた半導体等を挙げることができる。サイリスタ２２をＯＮにするゲート電圧Ｖｇｔの温度変化に合わせて抵抗１２の材質を選ぶことで、第１発光色の光の調光の範囲が温度によって変化するのを抑制することができる。
【００６９】
（変形例）
本実施形態では、第２発光部２の第２ＬＥＤ群２０と直列にサイリスタ２２を備えた構成としていた。サイリスタに限定されるものではない。たとえば、図６に示すような構成のスイッチング素子をサイリスタ２２に替えて用いてもよい。図６は、サイリスタの替わりに用いるスイッチング素子を示す図である。なお、図６は２個のバイポーラトランジスタを用いた構成であり、ここでは、スイッチング素子２３として説明する。
【００７０】
図６に示す、スイッチング素子２３は、ＰＮＰ型バイポーラトランジスタ２３１と、ＮＰＮ型バイポーラトランジスタ２３２を組み合わせた、サイリスタと等価な回路である。スイッチング素子２３は、ＰＮＰ型バイポーラトランジスタ２３１のベース端子と、ＮＰＮ型バイポーラトランジスタのコレクタ端子とを接続している。また、ＰＮＰ型バイポーラトランジスタ２３１のコレクタ端子と、ＮＰＮ型バイポーラトランジスタのベース端子とを接続している。そして、スイッチング素子２３のＰＮＰ型バイポーラトランジスタ２３１のエミッタ端子は、第２発光部２の第２ＬＥＤ群２０の負極側端子２０２が接続される。また、ＮＰＮ型バイポーラトランジスタ２３２のエミッタ端子は、基準点Ｓ０に接続される。そして、ＮＰＮ型バイポーラトランジスタ２３２のベース端子が、第１接点Ｓ１に接続される。
【００７１】
このような構成のスイッチング素子２３は、ＮＰＮ型バイポーラトランジスタ２３２のベース端子に電圧が印加されることで、ＰＮＰ型バイポーラトランジスタ２３１のエミッターからベースに電流が流れるとともに、その電流は、ＮＰＮ型バイポーラトランジスタ２３２のコレクタからエミッタに流れる。また、ＮＰＮ型バイポーラトランジスタ２３２のベースは、ＰＮＰ型バイポーラトランジスタ２３１のコレクタ電圧と同じになる。そのため、第１接点Ｓ１の電圧が下がっても、ＮＰＮ型バイポーラトランジスタのコレクタ−エミッタ間を導通するための電圧が印加された状態が保持されるため、スイッチング素子２３はＯＮ状態を保持する。
【００７２】
このようなスイッチング素子２３を用いることで、サイリスタ２２と同様の動作を行うことが可能である。
【００７３】
（第２実施形態）
本発明にかかる照明装置の他の例について図面を参照して説明する。図７は、本発明にかかる照明装置の他の例を示す図である。図７に示す照明装置Ｂは、第１発光部１ｂが異なる以外、照明装置Ａと同じ構成である。そのため、照明装置Ｂの照明装置Ａと同じ部分には、同じ符号を付すとともに、同じ部分の詳細な説明は省略する。
【００７４】
照明装置Ａに用いられている、ＬＥＤ１１の順方向電圧Ｖｆ１と、ＬＥＤ２１の順方向電圧Ｖｆ２との間には、Ｖｆ１＞Ｖｆ２の関係があった。そのため、ＬＥＤ１１を５個直列に接続した第１ＬＥＤ群１０の合計順方向電圧ＳＶｆ１は、同じく５個のＬＥＤ２１を直列に接続した第２ＬＥＤ群２０の合計順方向電圧ＳＶｆ２に比べて大きくなる。
【００７５】
一方で、ＬＥＤ１１の順方向電圧Ｖｆ１と、ＬＥＤ２１の順方向電圧Ｖｆ２とが同じ場合もある。この場合、第１ＬＥＤ群１０の合計順方向電圧ＳＶｆ１と、第２ＬＥＤ群２０の合計順方向電圧ＳＶｆ２とは、同じ値になる。照明装置Ｂにおいて、第１発光色と第２発光色を正確に切り替えるために、ＳＶｆ１−ＳＶｆ２＞Ｔｈ１となるように、合計順方向電圧ＳＶｆ１及び合計順方向電圧ＳＶｆ２を設定する。Ｖｆ１＝Ｖｆ２である場合には、ＬＥＤ１１の数を、ＬＥＤ２１の数よりも多くすることで、上述の条件を満たす構成とすることが可能である。
【００７６】
照明装置では、第１発光色の光の光束量と、第２発光色の光の光束量とを同じ光束量とする場合がある。ＬＥＤ１１と、ＬＥＤ２１とが発光する光の光束量が同じである場合、ＬＥＤ１１とＬＥＤ２１とを異なる個数とすることが難しい。そこで、照明装置Ｂにおいて、第１発光部１ｂには、第１ＬＥＤ群１０と直列に配されたダイオード１３を備えている。ダイオード１３は、第１ＬＥＤ群１０の負極側端子１０２と第１接点Ｓ１との間に配置されている。このように、第１発光部１の第１ＬＥＤ群１０と直列に接続するダイオード１３の順方向電圧を調整することで、ダイオード１３を含む第１ＬＥＤ群１０の合計順方向電圧ＳＶｆ１ｂを、ＳＶｆ１ｂ−ＳＶｆ２＞Ｔｈ１とすることができる。
【００７７】
これにより、照明装置Ａでは、サイリスタ２２がＯＦＦのときには、電流源Ｐｉから供給される電流が第１発光部１ｂに流れて、第１ＬＥＤ群１０のＬＥＤ１１から第１発光色の光を出射する。また、サイリスタ２２がＯＮになったときには、電流源Ｐｉから供給される電流のほとんどが第２発光部２に流れて、第２ＬＥＤ群２０のＬＥＤ２１から第２発光色の光を出射する。
【００７８】
以上のように、照明装置Ｂでは、ダイオード１３を第１ＬＥＤ群１０と直列に接続しており、簡単な構成で合計順方向電圧ＳＶｆ１ｂを調整することが可能である。なお、本実施形態では、使用するＬＥＤの順方向電圧がすべて同じものとして説明しているが、これに限定されるものではない。例えば、第１発光部１ｂの第１ＬＥＤ群１０の合計順方向電圧と第２発光部２の第２ＬＥＤ群２０の合計順方向電圧との差を調整するために、ダイオードを直列に接続するようにしてもよい。なお、本実施形態では、第１発光部のＬＥＤ群と直列に接続するものとしているが、これに限定されない。例えば、合計順方向電圧の差が大きすぎる場合には、第２発光部２のＬＥＤ群と直列に接続してもよい。また、両方の発光部のＬＥＤ群に、異なる順方向電圧のダイオードをそれぞれ直列に接続して、合計順方向電圧の差を調整するようにしてもよい。また、接続されるダイオードは、１個に限定されず、複数個接続されていてもよい。
【００７９】
（第３実施形態）
本発明にかかる照明装置のさらに他の例について図面を参照して説明する。図８は、本発明にかかる照明装置のさらに他の例を示す図である。図８に示す照明装置Ｃは、第１発光部１ｃは、複数個（ここでは、５個）のＬＥＤ１１を直列に接続した３個の第１ＬＥＤ群１０ｃを並列に接続している。また、第２発光部２ｃは、複数個（ここでは３個）のＬＥＤ２１を直列に接続した５個の第２ＬＥＤ群２０ｃを並列に接続している。これ以外の部分については、第１実施形態の照明装置Ａと同じである。そのため、照明装置Ｃの構成において、照明装置Ａと実質上同じ部分には、同じ符号を付すとともに、同じ部分の詳細な説明は省略する。
【００８０】
ＬＥＤは、順方向に予め決められた電圧以上の電圧を印加することで電流が流れる。換言すると、ＬＥＤは、順方向に予め決められた電圧以上の電圧を印加する必要がある。そのため、ＬＥＤでは、印加される電圧及びＬＥＤの特性によって、直列に接続可能な個数には、上限が存在する。照明装置Ｃにおいて、要求される光束量によっては、直列に接続可能な個数よりも多いＬＥＤが必要になる場合もある。そこで、照明装置Ｃでは、直列に接続可能な個数の上限よりも少ない個数のＬＥＤを直列に接続した複数個のＬＥＤ群を並列に接続することで、要求される数のＬＥＤを実装している。
【００８１】
図８に示すように、照明装置Ｃにおいて、第１発光部１ｃは、ＬＥＤ１１を５個直列に接続した第１ＬＥＤ群１０ｃを３個備える。そして、３個の第１ＬＥＤ群１０ｃは、並列に接続される。すなわち、３個の第１ＬＥＤ群１０ｃが、電流源Ｐｉに対して、並列に接続される。第１発光部１ｃは、第１ＬＥＤ群１０ｃを並列に接続しており、第１発光部１ｃの合計順方向電圧ＳＶｆ１ｃは、第１ＬＥＤ群１０ｃの合計順方向電圧と同じ、すなわち、ＳＶｆ１ｃ＝５×Ｖｆ１となる。また、抵抗１２は、並列に接続された第１ＬＥＤ群１０ｃと直列に接続されている。
【００８２】
図８に示すように、照明装置Ｃにおいて、第２発光部２ｃは、３個のＬＥＤ２１を直列に接続した第２ＬＥＤ群２０ｃを５個備える。そして、５個の第２ＬＥＤ群２０ｃは、並列に接続される。すなわち、５個の第２ＬＥＤ群２０ｃが、電流源Ｐｉに対して、並列に接続される。第２発光部２ｃは、第２ＬＥＤ群２０ｃを並列に接続しており、第２発光部２ｃの合計順方向電圧ＳＶｆ２ｃは、第２ＬＥＤ群２０ｃの合計順方向電圧と同じ、すなわち、ＳＶｆ２ｃ＝３×Ｖｆ２となる。また、サイリスタ２２は、並列に接続された第２ＬＥＤ群２０ｃと直列に接続されている。
【００８３】
照明装置Ｃにおいて、第１発光部１ｃは、１５個のＬＥＤ１１を備えており、第２発光部２ｃは、１５個のＬＥＤ２１を備えている。そのため、照明装置Ｃから出射される光の光束量を、第１発光色の光と、第２発光色の光とで同じ又は略同じにすることが可能である。
【００８４】
そして、ＬＥＤ１１、２１の順方向電圧が同じ、すなわち、Ｖｆ１＝Ｖｆ２の場合、第１発光部１ｃは第２発光部２ｃに比べてＬＥＤを直列に接続している数が多いため、ＳＶｆ１ｃ＞ＳＶｆ２ｃとなる。なお、本発明にかかる照明装置Ｃでは、ＬＥＤの数が、第１発光部１ｃ、第２発光部２ｃでそれぞれ１５個ずつであるため、直列に並べる個数、並列の数の選択範囲が狭いが、さらに多数のＬＥＤを使用する場合、直列と並列の組み合わせは多くなる。その組み合わせの中で、ＳＶｆ１ｃ−ＳＶｆ２ｃ＞Ｔｈ１となるような組み合わせで第１発光部１ｃ及び第２発光部２ｃを形成する。これにより、照明装置Ｃは、サイリスタ２２のＯＮ又はＯＦＦで、出射する光の発光色を第１発光色と第２発光色とに切り替えることが可能である。
【００８５】
このように、照明装置Ｃでは、直列で接続するＬＥＤの数と、直列に接続したＬＥＤを並列に接続する数を調整すればよく、簡単な構成で発光色の切り替えと各発光色での調光が可能である。これ以外の特徴については、第１実施形態及び第２実施形態と同じである。
【００８６】
複数個のＬＥＤを直列に接続するとともに直列に接続したＬＥＤを並列に接続する構成では、接続の作業が煩雑になりやすい。そこで、発光装置Ｏｐｃとして、１チップ化してもよい。図９は、本発明にかかる発光装置の概略構成を示す図である。
【００８７】
図９に示すように、発光装置Ｏｐｃは、基板Ｂｄと、第１配線パターンＰｔ１と、第２配線パターンＰｔ２と、第３配線パターンＰｔ３と、抵抗１２と、サイリスタ２２と、第１ランド部Ｌｄ１と、第２ランド部Ｌｄ２と、第１封止部Ｃｖ１と、第２封止部Ｃｖ２とを有する。抵抗１２及びサイリスタ２２は上述のものと同じであるため、詳細は省略する。
【００８８】
本実施形態の発光装置Ｏｐｃでは、第１配線パターンＰｔ１、第２配線パターンＰｔ２及び第３配線パターンＰｔ３は、中心及び半径が同じ円周上に形成された、中心角度が異なる円弧である。そして、第２配線パターンＰｔ２及び第３配線パターンＰｔ３は隣り合って形成され、第１配線パターンＰｔ１は、第２配線パターンＰｔ２及び第３配線パターンＰｔ３と対向するように形成されている。図９に示す発光装置Ｏｐｃにおいて、第１配線パターンＰｔ１、第２配線パターンＰｔ２及び第３配線パターンＰｔ３で囲まれた円形部分に複数個の第１ＬＥＤ群１０ｃを備えた第１発光部１ｃ及び複数個の第２ＬＥＤ群２０ｃを備えた第２発光部２ｃが配置される。なお、発光装置Ｏｐｃでは、図９に示す状態において、第１発光部１ｃが下半分に配置され、第２発光部２ｃが上半分に配置される。
【００８９】
第１発光部１ｃは、複数個の第１ＬＥＤ群１０ｃを備えており、複数個の第１ＬＥＤ群１０ｃは並列に接続される。第１ＬＥＤ群１０ｃは、チップ化されたＬＥＤチップ１１ｃを用いる。第１ＬＥＤ群１０ｃは、複数個のＬＥＤチップ１１ｃをワイヤＷｒを用いて直列に接続している。なお、図面の見易さを考慮し、図９に示す発光装置Ｏｐｃでは、第１発光部１ｃは、ＬＥＤチップ１１ｃを直列に４個接続した第１ＬＥＤ群１０ｃを３個並列に接続している。また、第２発光部２ｃも第１発光部１ｃと同様、複数個の第２ＬＥＤ群２０ｃを備えており、複数個の第２ＬＥＤ群２０ｃは並列に接続される。第２ＬＥＤ群２０ｃも、第１ＬＥＤ群１０ｃと同様、チップ化されたＬＥＤチップ２１ｃを用いる。第２ＬＥＤ群２０ｃは、複数個のＬＥＤチップ２１ｃをワイヤＷｒを用いて直列に接続している。なお、図面の見易さを考慮して、図９に示す発光装置Ｏｐｃでは、第２発光部２ｃは、ＬＥＤチップ２１ｃを直列に３個接続した第２ＬＥＤ群２０ｃを４個並列に接続している。第１発光部１ｃはＬＥＤチップ１１ｃを１２個備え、第２発光部２ｃはＬＥＤチップ２１ｃを１２個備える。すなわち、図９に示す発光装置Ｏｐｃにおいて、第１発光部１ｃと第２発光部２ｃとのそれぞれに備えられるＬＥＤチップ１１ｃ、２１ｃの個数は、同数である。しかしながら、同数に限定されず、異なる数であってもよい。
【００９０】
第１配線パターンＰｔ１は、基板Ｂｄ上に形成されたプリント配線である。第１ＬＥＤ群１０ｃの正極及び第２ＬＥＤ群２０ｃの正極は、第１配線パターンＰｔ１と接続されている。つまり、第１配線パターンＰｔ１は、第１発光部１ｃ及び第２発光部２ｃの両方に共通の配線パターンである。第１配線パターンＰｔ１と、各第１ＬＥＤ群１０ｃ及び各第２ＬＥＤ群２０ｃとは、ワイヤＷｒで接続されている。
【００９１】
第１配線パターンＰｔ１は、第１ランド部Ｌｄ１と配線パターンを介して接続されている。第１ランドＬｄ１は、電流源Ｐｉの正極Ｐｉ１が接続される端子であり、第１接続端子３１である。
【００９２】
第１ＬＥＤ群１０ｃの負極は、第２配線パターンＰｔ２と接続される。第２配線パターンＰｔ２は抵抗を介して第２ランドＬｄ２と接続されている。第２ランドＬｄ２は、電流源Ｐｉの負極Ｐｉ２が接続される端子であり、第２接続端子３２である。すなわち、３個の第１ＬＥＤ群１０ｃは、正極側が第１配線パターンＰｔ１と接続し、負極側が第２配線パターンＰｔ２と接続することで並列に接続される。
【００９３】
第２ＬＥＤ群２０ｃの負極は、第３配線パターンＰｔ３と接続される。第３配線パターンＰｔ３は、サイリスタ２２を介して第２ランド部Ｌｄ２に接続される。サイリスタ２２のアノード２２１が第３配線パターンＰｔ３と接続され、カソード２２２が第２ランドＬｄ２と接続され、ゲート２２３が第２配線パターンＰｔ２と接続されている。すなわち、各第２ＬＥＤ群２０ｃは、正極側が第１配線パターンＰｔ１に接続し、負極側が第３配線パターンＰｔ３に接続することで並列に接続される。
【００９４】
発光装置Ｏｐｃは、基板Ｂｄの第１配線パターンＰｔ１と第２配線パターンＰｔ２との間の部分を樹脂で封止した第１封止部Ｃｖ１と、第１配線パターンＰｔ１と第３配線パターンＰｔ３との間の部分を樹脂で封止した第２封止部Ｃｖ２とを備える。第１封止部Ｃｖ１は、３個の第１ＬＥＤ群１０ｃを備える第１発光部１ｃを封止し、第２封止部Ｃｖ２は４個の第２ＬＥＤ群２０ｃを備える第２発光部２ｃを封止する。
【００９５】
第１封止部Ｃｖ１及び第２封止部Ｃｖ２はシリコーン樹脂、エポキシ樹脂等の透明樹脂が用いられた、封止樹脂層を有している。第１封止部Ｃｖ１及び第２封止部Ｃｖ２は、ＬＥＤチップ１１ｃ、ＬＥＤチップ２１ｃ及びワイヤＷｒの保護、光取出し効率の向上、配光特性の変更、さらには、発光色を変換する蛍光体の保持等の目的で設けられている。なお、封止部の特性が同じ、例えば、ＬＥＤチップの発光色をそのまま用いる構成、すなわち、発光色の変換が不要又は光を変換する物質が同じ場合、第１封止部Ｃｖ１と第２封止部Ｃｖ２を１つの封止部にまとめて、全体を封止するようにしてもよい。
【００９６】
以上のように、発光装置Ｏｐｃは、複数個のＬＥＤチップ１１ｃ及び複数個のＬＥＤチップ２１ｃを１枚の基板Ｂｄに表面実装したＣＯＢ（Chip  On  Board）とすることができる。このように、複数個のＬＥＤチップを１チップにまとめることで、小型化が可能である。また、電流供給用の配線も２本だけでよく、コストを低減することができる。さらには、封止部を工夫することで、１つの光源として扱うことができるので、光が照射された物体の影が複数個発生したり、ぼやけたりするのを抑制し、使用者に違和感を覚えさせないようにすることが可能である。
【００９７】
なお、本実施形態では、第１配線パターンＰｔ１、第２配線パターンＰｔ２及び第３配線パターンＰｔ３は、円弧状としているがこれに限定されるものではない。また、本実施形態では、３個の第１ＬＥＤ群１０ｃと４個の第２ＬＥＤ群２０ｃとを異なる封止部で封止しているが、ＬＥＤチップの発光色をそのまま用いる構成、すなわち、発光色の変換が不要又は変換する物質が同じ場合、１つの封止部で全体を封止するようにしてもよい。この場合、複数個のＬＥＤチップ１１ｃを直列に接続した接続体と複数個のＬＥＤチップ２１ｃを直列に接続した接続体とを並列方向に交互に並べて配してもよい。
【００９８】
本実施形態では、抵抗１２と、サイリスタ２２とを、基板Ｂｄに配置しているが、基板Ｂｄに接続用のランドを用意し、直接実装するだけではなく、ランドを通して基板Ｂｄとは別にある抵抗１２と、サイリスタ２２と接続してもよい。
【００９９】
（変形例１）
本実施形態に係る発光装置のさらに他の例について図面を参照して説明する。図１０は第３実施形態の照明装置を構成する発光装置のさらに他の例を示す図である。図１０に示す発光装置Ｏｐｃ１を構成する部材は、図９に示す発光装置Ｏｐｃと同じである。そのため、発光装置Ｏｐｃ１を構成する部材には、発光装置Ｏｐｃと同じ符号を付す。
【０１００】
図１０に示す発光装置Ｏｐｃ１では、第１配線パターンＰｔ１及び第２配線パターンＰｔ２は、中心及び半径が同じ円周上に形成された、円弧状である。なお、図１０に示す状態において、第１配線パターンＰｔ１が左に、第２配線パターンＰｔ２が右に配置される。そして、第３配線パターンＰｔ３は、第１配線パターンＰｔ１及び第２配線パターンＰｔ２と中心が同じで、それらよりも大きい半径の円周上に形成された、円弧状である。第３配線パターンＰｔ３は、第２配線パターンＰｔ２の外側に配置される。つまり、第１配線パターンＰｔ１と第２配線パターンＰｔ２は、互いに対向している。そして、第３配線パターンＰｔ３は、第２配線パターンＰｔ２よりも外側に配置される。
【０１０１】
図１０に示すように発光装置Ｏｐｃ１は、複数個（ここでは、３個）の第１ＬＥＤ群１０ｃを備える第１発光部１ｃと、複数個（ここでは４個）の第２ＬＥＤ群２０ｃを備える第２発光部２ｃとを有する。第１配線パターンＰｔ１及び第２配線パターンＰｔ２との間の上下中央部分に３個の第１ＬＥＤ群１０ｃを備えた第１発光部１ｃが配置されている。すなわち、第１配線パターンＰｔ１と第２配線パターンＰｔ２の並び方向と交差（直交）する方向の中央部分に、３個の第１ＬＥＤ群１０ｃがまとめて配置されている。
【０１０２】
また、第１配線パターンＰｔ１と第２配線パターンＰｔ２の間の第１発光部１ｃが配置されている部分の上下それぞれに、第２ＬＥＤ群２０ｃが２個ずつまとめて配置されている。発光装置Ｏｐｃ１において、第２発光部２ｃは、第２ＬＥＤ群２０ｃを２個ずつ上下に分けて配置されている。すなわち、発光装置Ｏｐｃ１には、分けて配置された第２発光部２ｃの間に、３個の第１ＬＥＤ群１０ｃを備えた第１発光部１ｃ配置されている。
【０１０３】
そして、発光装置Ｏｐｃ１では、第１配線パターンＰｔ１は、各第１ＬＥＤ群１０ｃ及び各第２ＬＥＤ群２０ｃの正極と接続されている。第１配線パターンＰｔ１と、第１ＬＥＤ群１０ｃ及び第２ＬＥＤ群２０ｃとは、ワイヤＷｒで接続されている。第１配線パターンＰｔ１は、第１ＬＥＤ群１０ｃ及び第２ＬＥＤ群２０ｃの両方と接続する共通の配線パターンである。
【０１０４】
第２配線パターンＰｔ２は、各第１ＬＥＤ群１０ｃの負極と接続される。第２配線パターンＰｔ２と第１ＬＥＤ群１０ｃとは、ワイヤＷｒで接続されている。第３配線パターンＰｔ３は、各第２ＬＥＤ群２０ｃの負極と接続される。第３配線パターンＰｔ３と第２ＬＥＤ群２０ｃとは、ワイヤＷｒで接続されている。
【０１０５】
発光装置Ｏｐｃ１では、第１封止部Ｃｖ１と、複数個（ここでは、２個）の第２封止部Ｃｖ２とを備えている。第１封止部Ｃｖ１は、３個の第１ＬＥＤ群１０ｃを封止する。また、２個の第２封止部Ｃｖ２は、３個の第１ＬＥＤ群１０ｃを挟んで配置された２個ずつの第２ＬＥＤ群２０ｃをそれぞれ封止する。なお、図面を見やすくするため、第１封止部Ｃｖ１には、ハッチングを施している。
【０１０６】
なお、本実施形態では、２個の第２封止部Ｃｖ２は、それぞれ分離されているが、端部で連結されていてもよい。また、封止部の特性が同じ、例えば、ＬＥＤチップの発光色をそのまま用いる構成、すなわち、発光色の変換が不要又は光を変換する物質が同じ場合、第１封止部Ｃｖ１と第２封止部Ｃｖ２を１つの封止部にまとめて、ＬＥＤチップが配置されている部分全体を封止するようにしてもよい。
【０１０７】
図１０に示すように、発光装置Ｏｐｃ１では、ＬＥＤチップが配置されている領域、すなわち、第１配線パターンＰｔ１と第２配線パターンＰｔ２の間の部分において、中央部分にＬＥＤチップ１１ｃが偏らない又は略偏らないように配置されている。すなわち、複数個のＬＥＤチップ１１ｃが、第１配線パターンＰｔ１と第２配線パターンＰｔ２の間の中央部分に、上下左右方向にバランスよく配置されている。
【０１０８】
また、発光装置Ｏｐｃ１において、複数個のＬＥＤチップ２１ｃが、第１発光部１ｃを挟んで、偏らない又は略偏らないように配置されている。すなわち、複数個のＬＥＤチップ２１ｃが、第１配線パターンＰｔ１と第２配線パターンＰｔ２の間の部分に、上下左右方向にバランスよく配置されている。
【０１０９】
すなわち、図１０に示す発光装置Ｏｐｃ１を見ると、ＬＥＤチップ１１ｃ及びＬＥＤチップ２１ｃが、第１配線パターンＰｔ１と第２配線パターンＰｔ２の並び方向に延びる第１線Ｌ１及び第１線Ｌ１と直交する第２線Ｌ２に対して、線対称又は略線対称に配置されている。すなわち、ＬＥＤチップ１１ｃ及びＬＥＤチップ２１ｃが、直交する２線（Ｌ１、Ｌ２）のそれぞれに対して線対称又は略線対称に配置されている。
【０１１０】
複数個のＬＥＤチップ１１ｃ及び複数個のＬＥＤチップ２１ｃは、偏りが少ない状態で配置される。これにより、ＬＥＤチップ１１ｃが発光するときの光束の偏りを少なくできる。また、ＬＥＤチップ２１ｃが発光するときに、光が照射される光に対して、光束の偏りを少なくできる。
【０１１１】
以上のことより、本変形例の発光装置Ｏｐｃ１を用いることで、より偏りが少ない第１発光色の光及び第２発光色の光を照射対象に対して照射することが可能である。
【０１１２】
（変形例２）
本実施形態に係る発光装置の他の例について図面を参照して説明する。図１１は第３実施形態の照明装置を構成する発光装置の他の例を示す図である。図１１に示す発光装置Ｏｐｃ２を構成する部材は、図９に示す発光装置Ｏｐｃと同じである。そのため、発光装置Ｏｐｃ２を構成する部材には、発光装置Ｏｐｃと同じ符号を付す。なお、図面を見やすくするため、第１封止部Ｃｖ１には、ハッチングを施している。
【０１１３】
図１１に示すように発光装置Ｏｐｃ２では、第１配線パターンＰｔ１及び第２配線パターンＰｔ２との間の部分に、３個の第１ＬＥＤ群１０ｃを備えた第１発光部１ｃと４個の第２ＬＥＤ群２０ｃを備えた第２発光部２ｃとが配置される。発光装置Ｏｐｃ２において、第１ＬＥＤ群１０ｃと第２ＬＥＤ群２０ｃとは、交互に配置される。すなわち、発光装置Ｏｐｃ２において、第１発光部１ｃは、第１ＬＥＤ群１０ｃを１個ずつ分けて配置している。そして、その分けて配置された第１発光部１ｃの間に、第２発光部２ｃの第２ＬＥＤ群２０ｃが１個ずつ配置される。換言すると、発光装置Ｏｐｃ２において、第２発光部２ｃは、第２ＬＥＤ群２０ｃを１個ずつ分けて配置している。そして、その分けて配置した第２発光部２ｃの間に、第１発光部１ｃの第１ＬＥＤ群１０ｃが１個ずつ配置される。
【０１１４】
発光装置Ｏｐｃ２は、複数個（ここでは３個）の第１封止部Ｃｖ１と、複数個（ここでは、４個）の第２封止部Ｃｖ２とを有する。３個の第１封止部Ｃｖ１は、各第１ＬＥＤ群１０ｃをそれぞれ封止する。また、４個の第２封止部Ｃｖ２は、各第２ＬＥＤ群２０ｃをそれぞれ封止する。すなわち、３個の第１封止部Ｃｖ１及び４個の第２封止部Ｃｖ２は交互に配置される。なお、本実施形態では、第１封止部Ｃｖ１は、各第１ＬＥＤ群１０ｃを封止可能なように分離されているが、これに限定されない。例えば、第１配線パターンＰｔ１側で、連結されていてもよい。同様に、第２封止部Ｃｖ２も、それぞれ分離されているが、第１封止部Ｃｖ１と反対側で連結されていてもよい。また、封止部の特性が同じ、例えば、ＬＥＤチップの発光色をそのまま用いる構成、すなわち、発光色の変換が不要又は光を変換する物質が同じ場合、第１封止部Ｃｖ１と第２封止部Ｃｖ２とを１つの封止部にまとめて、ＬＥＤチップが配置されている部分全体を封止するようにしてもよい。
【０１１５】
発光装置Ｏｐｃ２では、第１ＬＥＤ群１０ｃと第２ＬＥＤ群２０ｃとを交互に配置している。このように構成することで、発光装置Ｏｐｃ２において、複数個のＬＥＤチップ１１ｃの配置の偏りを少なくしている。すなわち、複数個のＬＥＤチップ１１ｃが、第１配線パターンＰｔ１と第２配線パターンＰｔ２の間の部分に、バランスよく配置されている。
【０１１６】
また、発光装置Ｏｐｃ２において、複数個のＬＥＤチップ２１ｃの配置の偏りを少なくしている。すなわち、複数個のＬＥＤチップ２１ｃが、第１配線パターンＰｔ１と第２配線パターンＰｔ２の間の部分に、バランスよく配置されている。
【０１１７】
すなわち、図１１に示す発光装置Ｏｐｃ２を見ると、ＬＥＤチップ１１ｃ及びＬＥＤチップ２１ｃが、第１配線パターンＰｔ１と第２配線パターンＰｔ２の並び方向に延びる第１線Ｌ１及び第１線Ｌ１と直交する第２線Ｌ２に対して、線対称又は略線対称に配置されている。すなわち、ＬＥＤチップ１１ｃ及びＬＥＤチップ２１ｃが、直交する２線（Ｌ１、Ｌ２）のそれぞれに対して線対称又は略線対称に配置されている。
【０１１８】
発光装置Ｏｐｃ２において、複数個のＬＥＤチップ１１ｃ及び複数個のＬＥＤチップ２１ｃは、偏りが少ない状態で配置される。これにより、第１発光部１ｃから出射される光の光束の偏りを少なくできる。また、第２発光部２ｃから出射される光の光束の偏りを少なくできる。
【０１１９】
以上のことより、本変形例の発光装置Ｏｐｃ２を用いることで、偏りが少ない第１発光色の光及び第２発光色の光を照射対象に対して照射することが可能である。なお、上述した発光部は、複数個のＬＥＤを順方向直列に接続されたＬＥＤ群を並列に接続しているが、これに限定されない。例えば、十分な光束の光を出射可能な構成の場合、ＬＥＤを１個ずつ並列に接続してもよい。
【０１２０】
（第４実施形態）
本発明にかかる照明装置のさらに他の例について図面を参照して説明する。図１２は、本発明にかかる照明装置のさらに他の例を示す図である。図１２に示す照明装置Ｄは、ｎ色（ｎ≧３）の発光色を切り替えるとともに、各発光色で調光が可能な発光装置Ｏｐｄを備えている。
【０１２１】
図１２に示すように、発光装置Ｏｐｄは、第１発光色の第１発光部Ｏ１〜第ｎ発光色の第ｎ発光部Ｏｎを備えている。第１発光部Ｏ１〜第ｎ発光部Ｏｎは、並列に接続されており、それぞれ、正極側が第１接続端子３１と接続され、負極側が第２接続端子３２と接続されている。第１発光部Ｏ１は、複数個（ここでは、５個）の第１発光色のＬＥＤＬ１が直列に接続された第１ＬＥＤ群Ｌｔ１と、抵抗Ｒ１とを備えている。なお、説明の便宜上、ＬＥＤをＬ１、第１ＬＥＤ群をＬｔ１及び抵抗をＲ１としているが、それぞれ、ＬＥＤ１１、第１ＬＥＤ群１０及び抵抗１２と同じである。
【０１２２】
ｋ番目（ｋ＝２、３・・・ｎ−１）の発光部である、第ｋ発光部Ｏｋを例に説明すると、第ｋ発光部Ｏｋは、複数個（ここでは、５個）の第ｋ発光色のＬＥＤＬｋが直列に接続された第ｋＬＥＤ群Ｌｔｋと、サイリスタＳｃｋと、抵抗Ｒｋとが直列に接続されている。第ｋ発光部ＯｋのサイリスタＳｃｋは、アノードが第ｋＬＥＤ群Ｌｔｋと接続され、カソードが抵抗Ｒｋを介して第２接続端子３２と接続されている。また、ベース端子が第ｋ−１発光部Ｏｋ−１の抵抗Ｒｋ−１の正極側（換言すると、高電圧側）の端子と接続されている。
【０１２３】
さらに、ｎ番目の発光部である、第ｎ発光部Ｏｎは、複数個（ここでは、５個）の第ｎ発光色のＬＥＤＬｎが直列に接続された第ｎＬＥＤ群Ｌｔｎと、サイリスタＳｃｎとが直列に接続されている。第ｎ発光部ＯｎのサイリスタＳｃｎは、アノードが第ｎＬＥＤ群Ｌｔｎと接続され、カソードが第２接続端子３２と接続されている。また、ベース端子が第ｎ−１発光部Ｏｎ−１の抵抗Ｒｎ−１の正極側（換言すると、高電圧側）の端子と接続されている。
【０１２４】
この発光装置Ｏｐｄを備えた照明装置Ｄの発光動作について説明する。発光装置Ｏｐｄは、給電されていない状態のとき、すべてのサイリスタはＯＦＦ状態である。この状態で、各ＬＥＤ群に合計順方向電圧よりも大きい電圧を印加するとともに、電流を供給すると。これにより、まず、第１発光部Ｏ１の第１ＬＥＤ群Ｌｔ１に電流が流れて、５個のＬＥＤＬ１が発光する。これにより第１発光色の光が発光される。そして、抵抗Ｒ１の正極側の電圧は、抵抗Ｒ１の抵抗値ＲＬ１と、流れる電流値ＩＬ１との積で表される。抵抗Ｒ１の正極側の電圧が第２発光部Ｏ２に配されたサイリスタＳｃ２のゲート電圧であり、ゲート電圧が一定電圧を超えると、サイリスタＳｃ２がＯＮになる。すなわち、第２ＬＥＤ群Ｌｔ２に電流が流れる。
【０１２５】
サイリスタＳｃ２がＯＮになることで、電流源Ｐｉから供給される電流のうち、ほとんどが第２ＬＥＤ群Ｌｔ２に流れ、ＬＥＤＬ２が発光する。この状態で電流源Ｐｉから供給される電流を変化させることで、第２発光色の調光が可能である。そして、第２ＬＥＤ群Ｌｔ２に流れる電流は、抵抗Ｒ２に流れており、抵抗Ｒ２の正極側の電圧は、抵抗Ｒ２の抵抗値ＲＬ２と、流れる電流値ＩＬ２との積で表される。そして、抵抗Ｒ２の正極側の電圧が、第３発光部Ｏ３のサイリスタＳｃ３のゲート電圧である。ゲート電圧が一定値を超えると、サイリスタＳｃ３がＯＮになり、第３発光部Ｏ３の第３ＬＥＤ群Ｌｔ３に電流が流れてＬＥＤＬ３が発光する。
【０１２６】
なお、サイリスタがＯＮになったとき、電流源Ｐｉから供給される電流のほとんどを、そのサイリスタが備えられている発光部に流すためには、ＬＥＤ群の合計順方向電圧が、直前にサイリスタがＯＮになった発光部のＬＥＤ群よりも大きくなる必要がある。すなわち、第ｋ発光部Ｏｋの第ｋＬＥＤ群Ｌｔｋの合計順方向電圧をＳＶｆ-ｋとすると、ＳＶｆｋ−１−Ｓｖｆｋ＞Ｔｈｋの関係が成り立つように、第ｋＬＥＤ群Ｌｔｋの合計順方向電圧をＳＶｆ-ｋを決定している。なお、第ｋＬＥＤ群Ｌｔｋは、第ｋ−１ＬＥＤ群Ｌｔｋ−１よりも合計順方向電圧が小さいＬＥＤ群の中で合計順方向電圧が最大のＬＥＤ群である。そして、Ｔｈｋは、変数ｋによって異なる値であってもよいし、共通であってもよい。
【０１２７】
このような構成とすることで、照明装置Ｄでは、複数個の発光色の光を発光できるとともに、発光色毎に調光が可能である。
【０１２８】
上述の各実施形態において、スイッチング素子としてサイリスタを用いているが、これに限定されない。例えば、ＧＴＯ（Gate  Turn  OFF）サイリスタを用いてもよい。ＧＴＯサイリスタは、カソードからゲートに電流を流す、すなわち、ゲート電圧をカソードよりも低くすることで、アノードからカソードに流れる電流を停止させることができる。ＧＴＯサイリスタを用いることで、電流源から供給される電流を停止しなくても、サイリスタをＯＦＦにすることが可能となり、より多くの制御が可能となる。なお、ＧＴＯサイリスタを用いる場合、上述の抵抗を用いて電圧を印加する回路に加えて、カソードよりも低い電圧をゲートに印加する回路、素子等が備えられる。
【０１２９】
上述の各実施形態において、発光装置として、ＬＥＤ、サイリスタ、抵抗を備えた回路を実装した基板を示すがこれに限定されない。発光装置としては、別途用意されている電源装置に接続するための構成（例えば、コネクタ等）を含んでいてもよい。さらに、発光装置として、筐体に、放熱器具やレンズ等の光学器具と共に上述の回路を備えた基板を組み込んだ構成としてもよい。例えば、発光装置は、スポットライト、シーリングライト、ＬＥＤ電球として使用可能である。すなわち、発光装置は、ＬＥＤを実装し、別途用意されている電源に接続するとともに、電源より電力（電流）の供給を受けて発光する機器であってもよい。
【０１３０】
以上、本発明の実施形態について説明したが、本発明はこの内容に限定されるものではない。また本発明の実施形態は、発明の趣旨を逸脱しない限り、種々の改変を加えることが可能である。
【０１３１】
以上説明した本発明にかかる発光装置は、少なくとも１個の発光ダイオードを配する発光部を複数個備え、前記複数個の発光部は、発光色及び順方向電圧がそれぞれ異なり、順方向電圧が最大の発光部以外の発光部には、前記発光ダイオードと直列に接続されたスイッチング素子が設けられ、順方向電圧が最小の発光部以外の発光部には、負極側に前記発光ダイオードと直列に接続された抵抗が設けられ、前記スイッチング素子は、第１端子、第２端子及び第３端子を備え、第３端子に所定の電圧を印加することで、第１端子と第２端子とが導通状態になり、その後、第３端子の電圧が一定範囲内にあるときに導通状態を保持する素子であり、前記抵抗の正極側の端子は、前記抵抗が設けられている発光部よりも順方向電圧が小さい発光部のうちで、最も順方向電圧が大きい発光部に設けられたスイッチング素子の第３端子と電気的に接続されていることを特徴とする。
【０１３２】
このようにすることで、供給する電流が変化することで、スイッチング素子をＯＮにして、発光部の発光を切り替えているとともに、スイッチング素子がＯＮにならない範囲で電流を変動させることで、光束を調整、すなわち、調光している。そして、スイッチング素子はＯＮになったのちは、電流の供給が停止しない限りＯＦＦにはならないため、供給する電流値を適宜調整することで、発光する発光色を任意に変更可能であるとともに、発光色毎に調光が可能である。これにより、発光の切り替え、調光のための制御回路が不要であり、発光装置を簡単な構成とすることが可能である。そして、簡単な構成とすることで、小型化及び軽量化が可能であるとともに、コストを低減することができる。
【０１３３】
上述した発光装置において、前記スイッチング素子の少なくとも１つがサイリスタを含む構成であっても構わない。このように構成することで、１つの素子でスイッチング素子とすることができるので、接地面積を小さくすることが可能であるし、配線の自由度を上げることが可能である。
【０１３４】
上述した発光装置において、前記スイッチング素子の少なくとも１つが、ＰＮＰ接合のバイポーラトランジスタと、ＮＰＮ接合のバイポーラトランジスタを含み、ＰＮＰ接合のバイポーラトンジスタのベース及びコレクタとＮＰＮ接合のバイポーラトランジスタのコレクタ及びベースをそれぞれ接続し、ＰＮＰ接合のバイポーラトランジスタのエミッタ端子が前記第１端子であり、前記ＮＰＮ接合のバイポーラトランジスタのエミッタ端子が前記第２端子であり、ＮＰＮ接合のバイポーラトランジスタのベース端子が前記第３端子であっても構わない。
【０１３５】
上述した発光装置において、前記複数個の発光部の少なくとも１つは、複数個の発光ダイオードを直列に接続した発光ダイオード群を備え、順方向電圧が大きい発光部に比べて順方向電圧が小さい発光部は、前記発光ダイオード群の直列に接続された発光ダイオードの個数が少なくてもよい。発光ダイオードの個数で順方向電圧を調整できるので、順方向電圧を調整するための素子が不要である。
【０１３６】
上述した発光装置において、前記複数個の発光部の少なくとも１つは、前記発光ダイオード群を複数個備え、複数個の前記発光ダイオード群が並列に接続されていてもよい。発光ダイオード群の直列に接続される発光ダイオードの数と並列に接続される発光ダイオード群の数を調整することで、各発光部の発光ダイオード数を同数とするとともに、順方向電圧を調整可能である。
【０１３７】
上述した発光装置において、前記複数個の発光ダイオード群を備えた発光部は、少なくとも１つの発光ダイオード群を含むように分割して配置され、前記分割された発光部の間には、異なる発光部の少なくとも１個の発光ダイオード群が配置されてもよい。このように、発光部が１個又は複数個の発光ダイオード群ごとに分割して配置され、分割された発光部の間に別の発光部の発光ダイオード群が配置されることで、発光部の発光ダイオードの配置の偏りを抑制できる。なお、発光部を１個の発光ダイオード群ごとに分割し、その間に異なる発光部の発光ダイオード群を配置してもよいし、複数個の発光ダイオード群を含むように分割して、その間に異なる発光部の１個又は複数個の発光ダイオード群を配置してもよい。
【０１３８】
上述した発光装置において、前記複数個の発光部はそれぞれ同数の発光ダイオードを直列に接続した発光ダイオード群を備え、前記発光ダイオード群の少なくとも１つは、発光ダイオードと直列に接続された１個又は複数個のダイオードを備え、順方向電圧が大きい発光部は、順方向電圧が小さい発光部に比べて、前記ダイオードの接続数が多い。このようにすることで、各発光部の発光ダイオードの数を同じにすることで、光束量を同じ又は略同じで、順方向電圧を変えることができるので、発光色の切り替え及び各発光色での調光を簡単な構成で可能となる。
【０１３９】
上述した発光装置において、前記抵抗のうち、少なくとも１つは、温度上昇に伴って抵抗値が小さくなる特性を有していてもよい。このように構成することで、スイッチング素子がＯＮになる電圧値が温度上昇によって、小さくなった場合に、電流による電圧値の変化も同じく小さくすることができる。これにより、温度が変化してもスイッチング素子がＯＮになる電流値の変動を抑えることができ、各発光色での調光の幅を同じ又はほぼ同じとすることが可能である。
【０１４０】
上述した発光装置において、前記複数の発光部、前記スイッチング素子及び前記抵抗が実装される基板と、前記複数の発光部の正極側及び負極側のそれぞれと接続されたランド部と、を備えていてもよい。このように、１つの基板にまとめて構成することで、小型化が可能である。
【符号の説明】
【０１４１】
Ａ〜Ｄ  照明装置
Ｏｐ、Ｏｐｂ、Ｏｐｃ、Ｏｐｄ  発光装置
１  第１発光部
１０  第１ＬＥＤ群
１０１  正極側端子
１０２  負極側端子
１１  ＬＥＤ
１１ｃ  ＬＥＤチップ
１２  抵抗
２  第２発光部
２０  第２ＬＥＤ群
２０１  正極側端子
２０２  負極側端子
２１  ＬＥＤ
２１ｃ  ＬＥＤチップ
２２  サイリスタ
２２１  アノード
２２２  カソード
２２３  ゲート
３１  第１接続端子
３２  第２接続端子
Ｂｄ  基板
Ｐｈ  プリント配線
Ｐｈ１  第１経路
Ｐｈ２  第２経路
Ｂｄ  基板
Ｐｔ１  第１配線パターン
Ｐｔ２  第２配線パターン
Ｐｔ３  第３配線パターン
Ｌｄ１  第１ランド部
Ｌｄ２  第２ランド部
Ｃｖ１  第１封止部
Ｃｖ２  第２封止部
Ｐｉ  電流源（電源）
Ｐｉ１  正極
Ｐｉ２  負極
【図１】
0006721678.tif 000002
【図２】
0006721678.tif 000003
【図３】
0006721678.tif 000004
【図４】
0006721678.tif 000005
【図５】
0006721678.tif 000006
【図６】
0006721678.tif 000007
【図７】
0006721678.tif 000008
【図８】
0006721678.tif 000009
【図９】
0006721678.tif 000010
【図１０】
0006721678.tif 000011
【図１１】
0006721678.tif 000012
【図１２】
0006721678.tif 000013